(57)【要約】      （修正有）【課題】ラテックスアレルギー反応および皮膚に対する刺激を引き起こすことなく、一定の弾性を持ち、かつ比較的低い使用コストの医療用手袋を提供する。【解決手段】医療用手袋であって、熱可塑性ポリウレタン材料からなり、一体成形された中空袋状を呈する手袋本体１０を備え、該手袋本体は、掌部１１と、それぞれ該掌部と連結される五つの指部１２と、該掌部と連結される手首部１３と、該手首部における、該掌部から離れた一端に形成された開口部１４とを含み、該開口部は、該手袋本体内部の着用空間と外部空間とを連通させ、該熱可塑性ポリウレタン材料は、ポリエステルポリオールと、グリコールと、イソシアナートとを含有する。【選択図】図１
0003233869.tif 000002
【実用新案登録請求の範囲】
【請求項１】
医療用手袋であって、熱可塑性ポリウレタン材料からなり、一体成形された中空袋状を呈する手袋本体を備え、該手袋本体は、掌部と、それぞれ該掌部と連結される五つの指部と、該掌部と連結される手首部と、該手首部における、該掌部から離れた一端に形成された開口部とを含み、該開口部は、該手袋本体内部の着用空間と外部空間とを連通させ、該熱可塑性ポリウレタン材料は、ポリエステルポリオールと、グリコールと、イソシアナートとを含有することを特徴とする医療用手袋。
【請求項２】
前記熱可塑性ポリウレタン材料は、５０重量パーセントのポリエステルポリオール、１５重量パーセントのグリコール及び３５重量パーセントのイソシアナートとを含有することを特徴とする請求項１に記載の医療用手袋。
【請求項３】
前記手袋本体は、前記開口部を囲繞するように形成された弾性止めリングを含むことを特徴とする請求項１に記載の医療用手袋。
【考案の詳細な説明】
【技術分野】
【０００１】
本考案は手袋に関し、特に、医療用手袋に関するものである。
【背景技術】
【０００２】
医療用手袋は、医療従事者が患者に医療行為を施す際に、医療従事者及び患者を交差感染から守るために欠かせない用具である。また、医療用手袋は、使用後の感染拡散を防ぐため、使い捨て式にする必要がある。
【０００３】
既存の医療用手袋は主に、ラテックス製とニトリルブタジエンゴム製の二種類があるが、この二種類の医療用手袋にはそれぞれの欠点がある。既存のラテックス製の医療用手袋は、優れた弾性と耐用性があるものの、一部の人に対してラテックスアレルギー反応を引き起こす虞があり、一方、ニトリルブタジエンゴム製は、アレルギー反応を引き起こす可能性は低いものの、手袋の着脱性を高めるために、製造過程中に塩素処理を施すことから、着用者の皮膚に刺激を与える虞があり、また、ラテックス製の医療用手袋と比べ、弾性に劣ると共に、使い捨て用品としての使用コストが比較的高いという欠点もあるので、改善する必要があった。
【考案の概要】
【考案が解決しようとする課題】
【０００４】
本考案は、前記従来技術の欠点に鑑みてなされたものであり、ラテックスアレルギー反応および皮膚に対する刺激を引き起こすことなく、一定の弾性を持ち、かつ比較的低い使用コストの医療用手袋を提供することを目的としている。
【課題を解決するための手段】
【０００５】
上記目的を達成するために、本考案は、熱可塑性ポリウレタン材料から作られ、一体成形された中空袋状を呈する手袋本体を備える医療用手袋であって、該手袋本体は、掌部と、それぞれ該掌部と連結される五つの指部と、該掌部と連結される手首部と、該手首部における、該掌部から離れた一端に形成された開口部とを含み、該開口部は、該手袋本体内部の着用空間と外部空間とを連通させ、該熱可塑性ポリウレタン材料は、ポリエステルポリオールと、グリコールと、イソシアナートとを含有することを特徴とする医療用手袋。
【０００６】
前記熱可塑性ポリウレタン材料は、５０重量パーセントのポリエステルポリオール、１５重量パーセントのグリコール及び３５重量パーセントのイソシアナートとを含有することを特徴とする。
【０００７】
前記手袋本体は、前記開口部を囲繞するように形成された弾性止めリングを含むことを特徴とする。
【考案の効果】
【０００８】
上述したように、本考案に係る医療用手袋は、手袋本体が熱可塑性ポリウレタン材料からなることにより、防カビ性、耐水性、耐油性、耐摩耗性及び耐化学反応性に優れると共に、ラテックス製の医療用手袋によるアレルギー反応、及びニトリルブタジエンゴム製の医療用手袋からの皮膚刺激の問題を引き起こすことがなく、また、既存の医療用手袋と比べると、比較的高い弾性でかつ比較的低い使用コストを持つとの利点がある。
【図面の簡単な説明】
【０００９】
【図１】本考案の第１実施例の斜視図である。
【図２】本考案の第２実施例の斜視図である。
【考案を実施するための形態】
【００１０】
本考案の技術特徴及び実用的な効果を深く理解できるように、且つ考案の内容に従って実現できるように、図面に示す好適な実施形態によって、以下のとおり詳細に説明する。
【００１１】
図１は、本考案に係る医療用手袋の第１実施例を示したものであり、当該医療用手袋は、熱可塑性ポリウレタン材料から作られ、一体成形された中空袋状を呈する手袋本体１０を備え、該手袋本体１０は、それぞれが着用者の手の各部位に対応する掌部１１、五つの指部１２及び手首部１３を含み、これらの五つの指部１２及び手首部１３は、掌部１１に連結され、また、手首部１３における、掌部１１と連結されている一端の反対端に、手袋本体１０内の着用空間と外部空間とを連通する開口部１４が設けられ、手袋本体１０の成分の熱可塑性ポリウレタン材料は、ポリエステルポリオールと、グリコールと、イソシアナートとを含有する。尚、本考案の好適な実施例においては、熱可塑性ポリウレタン材料が、５０重量パーセントのポリエステルポリオール、１５重量パーセントのグリコール及び３５重量パーセントのイソシアナートとを含有することが好ましい。
【００１２】
このように、ポリエステルポリオールと、グリコールと、イソシアナートとで構成された、ＴＰＵ、いわゆる熱可塑性ポリウレタン材料で作られた手袋本体１０は、既存のラテックス製の医療用手袋によるラテックスアレルギーや、既存のニトリルブタジエンゴム製の医療用手袋による皮膚刺激性の問題を解消できると共に、本考案の医療用手袋は、既存のニトリルブタジエンゴム製の医療用手袋と比べると、より優れた弾性を持つと共に、より低いコストで生産することができ、また、優れた防カビ性、耐水性、耐油性、耐摩耗性及び耐化学反応性を有することから、医療分野に適している。
【００１３】
図２は、本考案に係る医療用手袋の第２実施例を示したものであり、第１実施例とほぼ同じであるが、第２実施例の医療用手袋は、弾性止めリング２０をさらに含む点において異なる。該弾性止めリング２０は、手袋本体１０の手首部１３において開口部１４を囲繞するように形成され、弾性止めリング２０の設置により、開口部１４を広くすることができるので、本考案の医療用手袋の着脱性を向上させることができる。
【００１４】
以上の説明は、本考案の好ましい実施形態に過ぎず、本考案に対して何ら限定を行うものではない。当業者が、本考案の技術構想を逸脱しない範囲において、本考案の開示する技術内容を用いて部分的な変更及び修飾を行った等価の実施形態であって、且つ本考案の技術構想の内容を逸脱しないものは、依然としてすべて本考案の技術構想の範囲内にある。
【符号の説明】
【００１５】
１０  手袋本体
１１  掌部
１２  指部
１３  手首部
１４  開口部
２０  弾性止めリング
【図１】
0003233869.tif 000003
【図２】
0003233869.tif 000004